(57)【要約】      （修正有）【課題】ナースコール呼出しを行なった際に、呼出先に関する情報を情報表示機に表示できるようにする。【解決手段】ナースコールシステムは、ナースコール子機と、廊下灯と、ナースコール親機２と、携帯情報端末と、被看護人の治療情報や施設案内等の被看護人用閲覧情報を表示する情報表示機７と、制御機３とを有している。制御機３は、携帯情報端末を携帯した医療・看護従事者が有する医療・看護従事者識別ＩＤを含む医療・看護従事者関連情報が記憶される記憶部３１と、ナースコール子機を用いた被看護人からの呼出時に当該ナースコール子機から伝送されてくる子機ＩＤに割当てられた呼出先医療・看護従事者関連情報を記憶部３１から読出して情報表示機７に送出する制御機ＣＰＵ３２とを備えている。情報表示機７は、制御機ＣＰＵ３２から伝送されてくる呼出先医療・看護従事者関連情報を表示する表示機表示部７１を備えている。【選択図】図２
2014143597.tif 000002
【特許請求の範囲】
【請求項１】
医療・看護施設内の複数の部屋の病床毎に設置され被看護人が医療・看護従事者を呼出して通話を成立させるナースコール子機と、前記部屋の出入り口に設置され前記ナースコール子機を用いた前記被看護人からの呼出しを報知する廊下灯と、前記ナースコール子機を用いた前記被看護人からの呼出しに前記医療・看護従事者が応答して通話を成立させるナースコール親機と、前記医療・看護従事者により携帯され前記ナースコール子機を用いた前記被看護人からの呼出しに応答して通話を成立させる携帯情報端末と、前記被看護人の治療情報や施設案内等の被看護人用閲覧情報を表示する情報表示機と、前記情報表示機を制御するサーバと、前記廊下灯、前記ナースコール親機、前記携帯情報端末及び前記サーバを制御する制御機とを有するナースコールシステムであって、
前記制御機、前記ナースコール親機および前記サーバのうち少なくとも一つは、前記携帯情報端末を携帯した前記医療・看護従事者が有する医療・看護従事者識別ＩＤを含む医療・看護従事者関連情報が記憶される記憶部と、前記ナースコール子機を用いた前記被看護人からの呼出時に当該ナースコール子機から伝送されてくる子機ＩＤに割当てられた呼出先医療・看護従事者関連情報を前記記憶部から読出して前記情報表示機に送出するＣＰＵとを備え、
前記情報表示機は、前記ＣＰＵから伝送されてくる前記呼出先医療・看護従事者関連情報を表示する表示機表示部を備えることを特徴とするナースコールシステム。
【請求項２】
前記医療・看護従事者関連情報には、前記医療・看護従事者識別ＩＤに割当てられる前記医療・看護従事者の氏名データが含まれ、
前記ＣＰＵは、前記ナースコール子機を用いた前記被看護人からの呼出時に当該ナースコール子機から伝送されてくる前記子機ＩＤに割当てられた前記呼出先医療・看護従事者関連情報を前記記憶部から読出し、呼出先の医療・看護従事者全ての氏名データを前記サーバを経由して前記情報表示機に送出して前記表示機表示部に表示させる機能を有することを特徴とする請求項１記載のナースコールシステム。
【請求項３】
前記情報表示機は、前記呼出先の医療・看護従事者全ての氏名データ及び呼出先としての前記ナースコール親機のうち少なくとも１つを選択する表示機操作部を備え、
前記ＣＰＵは、前記情報表示機の前記表示機操作部により選択された前記医療・看護従事者が携帯する前記携帯情報端末又は呼出先としての前記ナースコール親機で呼出報知を行う機能を有することを特徴とする請求項２記載のナースコールシステム。
【請求項４】
前記情報表示機の前記表示機表示部に前記呼出先の医療・看護従事者全ての氏名データ及び呼出先としての前記ナースコール親機が表示されてから前記表示機操作部が操作されるまでの予め定められた時間を計時する計時部を備え、
前記ＣＰＵは、前記計時部のタイムアップを検出したとき、呼出先として予め定められた医療・看護従事者が携帯する前記携帯情報端末で呼出報知を行う機能を有することを特徴とする請求項３記載のナースコールシステム。
【請求項５】
前記ＣＰＵは、前記ナースコール子機を用いた前記被看護人からの呼出時に当該ナースコール子機から伝送されてくる前記子機ＩＤに割当てられた医療・看護従事者の呼出優先順位を検出し、前記呼出優先順位を前記サーバを経由して前記情報表示機に送出して前記表示機表示部に表示させる機能を有することを特徴とする請求項１乃至請求項４のうち何れか１項記載のナースコールシステム。
【請求項６】
前記情報表示機の前記表示機操作部は、前記ナースコール子機を用いた前記被看護人からの呼出しを待受状態に復旧させる機能を有することを特徴とする請求項１乃至請求項５のうち何れか１項記載のナースコールシステム。
【発明の詳細な説明】
【技術分野】
【０００１】
本発明は、ナースコールシステムに係わり、特に、ナースコール呼出しを行なった際に、呼出先に関する情報を情報表示機に表示することが可能なナースコールシステムに関する。
【背景技術】
【０００２】
従来から、この種のナースコールシステムとして、ナースコール呼出しを行なってから看護師が来るまでの状況をナースコール呼出しを行った患者が把握することができ、更にナースコール呼出しに対して看護師が音声により応答しなくても患者が安心できるナースコールシステムが知られている（例えば、特許文献１等）。
【０００３】
このナースコールシステムは、ベッド毎に設置されて患者が看護師を呼び出すためのナースコール子機と、患者からの呼び出しに応答するためのナースコール親機と、病室毎にナースコール子機が接続されてナースコール子機からの呼び出しを廊下にいる看護師に通知するための廊下灯と、ナースコール親機と廊下灯との間の通信を制御する制御機とを有するナースコールシステムであって、呼出中等の情報を表示するための表示部を備えた患者用端末がナースコール子機と対を成すように設置され、制御機が、ナースコール子機から呼出信号を受信したらナースコール親機に呼出信号を送信して呼出動作させると共に、呼出確認信号を呼出元のナースコール子機と対を成す患者用端末に返信する制御機ＣＰＵを備え、患者用端末が、呼出確認信号を受信したら表示部に呼び出しが行われていることを表示させる表示制御部を備えている。
【０００４】
このナースコールシステムによれば、患者がナースコール子機を用いて行ったナースコール呼出しが実際にナースコール親機に通知されているか患者用端末において表示されるので、患者は呼び出しが行われていることを認識でき安心できる。
【先行技術文献】
【特許文献】
【０００５】
【特許文献１】特開２０１２−１５２３４６号公報
【発明の概要】
【発明が解決しようとする課題】
【０００６】
しかしながら、従来のナースコールシステムにおいては、ナースコール呼出中には、呼出中である旨の情報しか表示されないため、患者はナースコール呼出しに応答するまで、どの看護師が実際に応答してくれるのか分からず、不安感を有していた。
【０００７】
本発明は、このような従来の難点を解消するため、ナースコール呼出しを行なった際に、呼出先に関する情報を情報表示機に表示させることができるナースコールシステムを提供することを目的としている。
【課題を解決するための手段】
【０００８】
本発明の第１の態様であるナースコールシステムは、医療・看護施設内の複数の部屋の病床毎に設置され被看護人が医療・看護従事者を呼出して通話を成立させるナースコール子機と、部屋の出入り口に設置されナースコール子機を用いた被看護人からの呼出しを報知する廊下灯と、ナースコール子機を用いた被看護人からの呼出しに医療・看護従事者が応答して通話を成立させるナースコール親機と、医療・看護従事者により携帯されナースコール子機を用いた被看護人からの呼出しに応答して通話を成立させる携帯情報端末と、被看護人の治療情報や施設案内等の被看護人用閲覧情報を表示する情報表示機と、情報表示機を制御するサーバと、廊下灯、ナースコール親機、携帯情報端末及びサーバを制御する制御機とを有するナースコールシステムであって、制御機、ナースコール親機およびサーバのうち少なくとも一つは、携帯情報端末を携帯した医療・看護従事者が有する医療・看護従事者識別ＩＤを含む医療・看護従事者関連情報が記憶される記憶部と、ナースコール子機を用いた被看護人からの呼出時に当該ナースコール子機から伝送されてくる子機ＩＤに割当てられた呼出先医療・看護従事者関連情報を記憶部から読出して情報表示機に送出するＣＰＵとを備え、情報表示機は、ＣＰＵから伝送されてくる呼出先医療・看護従事者関連情報を表示する表示機表示部を備えるものである。
【０００９】
第１の態様であるナースコールシステムによれば、ナースコール呼出しをした被看護人は、ナースコール子機が設置された病床において、少なくとも自分の担当する医療・看護従事者が誰であるかを認識することができる。
【００１０】
本発明の第２の態様であるナースコールシステムは、第１の態様であるナースコールシステムにおいて、医療・看護従事者関連情報には、医療・看護従事者識別ＩＤに割当てられる医療・看護従事者の氏名データが含まれ、ＣＰＵは、ナースコール子機を用いた被看護人からの呼出時に当該ナースコール子機から伝送されてくる子機ＩＤに割当てられた呼出先医療・看護従事者関連情報を記憶部から読出し、呼出先の医療・看護従事者全ての氏名データをサーバを経由して情報表示機に送出して表示機表示部に表示させる機能を有するものである。
【００１１】
第２の態様であるナースコールシステムによれば、第１の態様であるナースコールシステムの作用に加え、被看護人は、実際に呼出している医療・看護従事者の氏名を認識することができ、ひいてはナースコールシステムの利便性をより一層向上させることができる。
【００１２】
本発明の第３の態様であるナースコールシステムは、第２の態様であるナースコールシステムにおいて、情報表示機は、呼出先の医療・看護従事者全ての氏名データ及び呼出先としてのナースコール親機のうち少なくとも１つを選択する表示機操作部を備え、ＣＰＵは、情報表示機の表示機操作部により選択された医療・看護従事者が携帯する携帯情報端末又は呼出先としてのナースコール親機で呼出報知を行う機能を有するものである。
【００１３】
第３の態様であるナースコールシステムによれば、第２の態様であるナースコールシステムの作用に加え、被看護人は、ナースコール呼出しの目的に応じて呼出先を選択することができ、ひいては、ナースコ−ルシステムの利便性をより一層向上させることができる。
【００１４】
本発明の第４の態様であるナースコールシステムは、第３の態様であるナースコールシステムにおいて、情報表示機の表示機表示部に呼出先の医療・看護従事者全ての氏名データ及び呼出先としてのナースコール親機が表示されてから表示機操作部が操作されるまでの予め定められた時間を計時する計時部を備え、ＣＰＵは、計時部のタイムアップを検出したとき、呼出先として予め定められた医療・看護従事者が携帯する携帯情報端末で呼出報知を行う機能を有するものである。
【００１５】
第４の態様であるナースコールシステムによれば、第３の態様であるナースコールシステムの作用に加え、情報表示機の操作ミスで呼出先が選択できない場合でも自動的に看護師が呼び出されるため、失報の虞がなくなる。
【００１６】
本発明の第５の態様であるナースコールシステムは、第１の態様乃至第４の態様の何れかの態様であるナースコールシステムにおいて、ＣＰＵは、ナースコール子機を用いた被看護人からの呼出時に当該ナースコール子機から伝送されてくる子機ＩＤに割当てられた医療・看護従事者の呼出優先順位を検出し、呼出優先順位をサーバを経由して情報表示機に送出して表示機表示部に表示させる機能を有するものである。
【００１７】
第５の態様であるナースコールシステムによれば、第１の態様乃至第４の態様の何れかの態様であるナースコールシステムの作用に加え、被看護人が「自分のナースコール呼出しが放置されているのか」という懸念を払拭することができ、ひいては、ナースコールシステムにおける安心度合をより一層向上させることができる。
【００１８】
本発明の第６の態様であるナースコールシステムは、第１の態様乃至第５の態様の何れかの態様であるナースコールシステムにおいて、情報表示機の表示機操作部は、ナースコール子機を用いた被看護人からの呼出しを待受状態に復旧させる機能を有するものである。
【００１９】
第６の態様であるナースコールシステムによれば、第１の態様乃至第５の態様の何れかの態様であるナースコールシステムの作用に加え、表示機操作部に設けられた復旧ボタンを選択操作することで、ナースコール子機を用いた被看護人からの呼出しを待受状態に復旧させることができる。
【発明の効果】
【００２０】
本発明のナースコールシステムによれば、制御機ＣＰＵの制御により、ナースコール子機を用いた被看護人からの呼出時に当該ナースコール子機から伝送されてくる子機ＩＤに割当てられた呼出先医療・看護従事者関連情報が制御機記憶部から読出され、当該呼出先医療・看護従事者関連情報がサーバを経由して情報表示機の表示機表示部に表示されることから、当該ナースコール子機を用いた被看護人は、実際にどの医療・看護従事者を呼び出しているのかを認識することができる。
【００２１】
従って、本発明のナースコールシステムによれば、ナースコール呼出しを行なった際に、呼出先に関する情報（呼出先医療・看護従事者関連情報）を情報表示機に表示させることができることから、被看護人は、呼出に応答するまでの不安感を解消することができ、ひいては被看護人に対する信頼性を向上させることができる。
【図面の簡単な説明】
【００２２】
【図１】本発明の一実施例におけるナースコールシステムの構成図。
【図２】本発明におけるナースコール親機、制御機および情報表示機のブロック図。
【図３】本発明における制御機記憶部に記憶される医療・看護従事者関連情報等の説明図。
【図４】本発明における呼出先医療・看護従事者関連情報に含まれる医療・看護従事者の氏名データ等の説明図。
【発明を実施するための形態】
【００２３】
以下、本発明のナースコールシステムを適用した最良の実施の形態例について、図面を参照して説明する。
【００２４】
図１は、本発明の一実施例におけるナースコールシステムの全体構成を示す説明図である。
【００２５】
同図において、本発明のナースコールシステムは、医療・看護施設内の複数の部屋の病床毎に設置されるナースコール子機１、１、・・・と、スタッフステーション等の施設内共用部に設置されるナースコール親機２と、施設内共用部に設置される制御機３と、医療・看護従事者により携帯される携帯情報端末４、４、・・・と、部屋毎の出入り口に設置される廊下灯５、５、・・・と、施設内共用部に設置されるサーバ６と、医療・看護施設内の複数の部屋の病床毎に設置される情報表示機７、７、・・・と、基地局８および交換機９とを備えている。
【００２６】
ここで、各ナースコール子機１、１、・・・は、それぞれ子機ラインＬ１を経由して対応する廊下灯５に接続され、各廊下灯５には、廊下灯ラインＬ２を経由して制御機３が接続されている。また、ナースコール親機２は、親機ラインＬ３を経由して制御機３に接続され、制御機３には、交換機ラインＬ４を経由して交換機９が、サーバラインＬ６を経由してサーバ６がそれぞれ接続されている。さらに、交換機９には基地局ラインＬ５を経由して基地局８が接続され、サーバ６には情報表示機ラインＬ７を経由して各情報表示機７、７、・・・が接続されている。なお、ナースコール子機１及び廊下灯５間の接続は、図示のような個別配線の接続に限定されるものではなく、例えば、複数台の当該ナースコール子機１を順次、廊下灯５に接続する渡り配線とすることもできる。また、サーバ６及び制御機３間の接続についても、図示のようなバス接続に限定されるものではなく、例えば、渡り配線の接続とすることもできる。さらに、複数の廊下灯５、５、・・・及び制御機３間の接続についても、図示のような渡り配線の接続に限定されるものではなく、例えば、バス接続とすることもできる。
【００２７】
各ナースコール子機１、１、・・・は、それぞれ同様の構成とされ、それぞれ個別の子機ＩＤを有しており、病院等の医療・介護施設における例えば、２０１号室、２０２号室、・・・・のような（複数の）部屋内の各病床の被看護人（患者と同意）が、例えば、ナースコール親機２が設置されるスタッフステーション等の施設内共用部に在室中の看護人（医療・看護従事者と同意）及び／又は携帯情報端末４を携帯して当該施設内を移動中の看護人（医療・看護従事者と同意）に対し、通常呼出し、トイレ・風呂介助等を求める緊急呼出し、点滴の終了を知らせる確認呼出し等、ナースコール呼出しにかかる呼出種別毎で異なる所定の呼出操作を行うとともに、この被看護人が看護人との間で音声を送受信して通話を成立させるものである。ここで、ナースコール子機１は、部屋内の病床数に対応させて複数台、任意に設けることができる。
【００２８】
なお、各ナースコール子機１、１、・・・は、例えば、前述のような所定の呼出操作が行われる呼出操作機能を有するハンド子機１ａと、ハンド子機１ａに接続され前述のような通話を成立させる通話機能を有するプレート子機１ｂとで構成されている。また、ハンド子機１ａには、呼出操作機能のみならず前述のような通話機能を備えることもできる。さらに、プレート子機１ｂには、通話機能のみならず前述のような呼出操作機能や、被看護人からの呼出しを待受状態に復旧させる呼出復旧操作機能を備えることもできる。
【００２９】
各廊下灯５、５、・・・は、それぞれ同様の構成と構成され、それぞれ個別の廊下灯ＩＤを有しており、ナースコール子機１を用いた被看護人からのナースコール呼出しを、通常呼出し、トイレ・風呂介助等を求める緊急呼出し、点滴の終了を知らせる確認呼出し等、呼出種別毎に異なるパターンの警報音、表示灯で報知するものである。
【００３０】
ナースコール親機２は、ナースコール子機１を用いた被看護人からのナースコール呼出しを、通常呼出し、トイレ・風呂介助等を求める緊急呼出し、点滴の終了を知らせる確認呼出し等、呼出種別毎に異なるパターンの警報音、表示灯で報知するとともに、これを確認した看護人が被看護人との間で音声を送受信して通話を成立させるものである。
【００３１】
なお、ナースコール親機２には、通常、ナースコール子機１を個別呼出し又は一斉呼出しする機能や、携帯情報端末４を個別呼出し又は一斉呼出しする機能が備えられている。また、ナースコール親機２の構成態様としては、図示のような電子情報出力型の当該親機に限定されず、例えば、ＰＣ（パーソナル・コンピュータ）型やボード型の当該親機も好適とされる。
【００３２】
各携帯情報端末４、４、・・・は、それぞれ同様の構成とされ、それぞれ当該施設内を移動中の看護人によって携行され個別の端末ＩＤを有しており、ナースコール子機１を用いた被看護人からのナースコール呼出しを、通常呼出し、トイレ・風呂介助等を求める緊急呼出し、点滴の終了を知らせる確認呼出し等、呼出種別毎に異なるパターンの警報音、表示灯で報知するとともに、これを確認した看護人が被看護人との間で音声を送受信して通話を成立させるものであり、例えば、スマートフォン等の高機能通信端末やＰＨＳ端末が好適とされる。なお、携帯情報端末４は、通常、ナースコール親機２や他の携帯情報端末４との間で呼出し、通話を成立させる機能が備えられている。
【００３３】
サーバ６は、後述する各情報表示機７、７、・・・を制御するものである。
【００３４】
各情報表示機７、７、・・・は、それぞれ同様の構成とされ、それぞれ個別の表示機ＩＤを有しており、被看護人の治療情報や施設案内等の被看護人用閲覧情報を表示するものである。
【００３５】
制御機３は、廊下灯ラインＬ２を経由して各廊下灯５、５、・・・、親機ラインＬ３を経由してナースコール親機２、交換機ラインＬ４を経由して交換機９、サーバラインＬ６を経由してサーバ６をそれぞれ接続する中継器として、これらに接続された機器を制御するものである。なお、交換機９が有する回線制御機能は、制御機３に備えることができ、この態様によれば交換機９が不要とされ、制御機３と基地局８の間が直接接続される。
【００３６】
次に、図２に基づいて、ナースコール親機２、制御機３および情報表示機７の具体的な構成について説明する。
【００３７】
同図（ａ）において、ナースコール親機２は、親機表示部２１、親機操作部２２、親機通話部２３、親機ＣＰＵ２４及び親機Ｉ／Ｆ２５を備えている。
【００３８】
このナースコール親機２において、親機表示部２１は、ナースコール子機１、１、・・・を用いた被看護人からのナースコール呼出しがあることを表示（呼出表示）するものであり、例えば、ＬＣＤ、有機ＥＬディスプレイ等の各種の表示媒体で構成されている。
【００３９】
親機操作部２２は、前述のような被看護人からのナースコール呼出しに医療・看護従事者が応答するための操作（応答操作）を行うものであり、例えば、親機表示部２１の前面に設置されたタッチパネルで構成されている。
【００４０】
親機通話部２３は、医療・看護従事者が被看護人との間で通話を成立させるための音声を送受信するものであり、例えば、マイク及びスピーカで構成されている。また、親機通話部２３を構成するスピーカは、前述のようなナースコール呼出しがあることを報知（呼出発報）するための呼出音や音声メッセージ等を出力することができる。なお、親機通話部２３としては、図１に示すようなハンドセットを適用することもできる。
【００４１】
親機ＣＰＵ２４は、当該ナースコール親機の構成各部を制御するものである。また、親機Ｉ／Ｆ２５は、親機通話部２３及び親機ラインＬ３間の信号伝送路、親機ＣＰＵ２４及び親機ラインＬ３間の信号伝送路をそれぞれ形成するものである。
【００４２】
次に、制御機３は、図２（ｂ）に示すように、制御機記憶部３１、制御機ＣＰＵ３２、廊下灯側制御機Ｉ／Ｆ３３、親機側制御機Ｉ／Ｆ３４、交換機側制御機Ｉ／Ｆ３５及び必要により設けられるサーバ側制御機Ｉ／Ｆ３６を備えている。
【００４３】
この制御機３において、制御機記憶部３１は、図３（ａ）に示すように子機ＩＤ、廊下灯ＩＤおよび表示機ＩＤにそれぞれ対応する被看護人識別ＩＤ等を有する被看護人情報テーブルと、図３（ｂ）に示すように携帯情報端末を携帯した医療・看護従事者が有する医療・看護従事者識別ＩＤを含む医療・看護従事者関連情報を記憶するためのものであり、例えば、ＲＡＭ（Read Only Memory）、ＥＥＰＲＯＭ（Electrically Erasable and Programmable Read Only Memory）等の各種の記憶媒体で構成されている。なお、制御機記憶部３１の記憶内容である前述の医療・看護従事者関連情報は、例えば、ナースコール親機２や別途のＰＣ（パーソナル・コンピュータ）等を用いることで適宜に書換えることができる。
【００４４】
制御機ＣＰＵ３２は、当該制御機の構成各部を制御するばかりでなく当該システム全体を制御するものである。
【００４５】
また、廊下灯側制御機Ｉ／Ｆ３３は、制御機ＣＰＵ３２及び廊下灯ラインＬ２間の信号伝送路を形成するものであり、親機側制御機Ｉ／Ｆ３４は、制御機ＣＰＵ３２及び親機ラインＬ３間の信号伝送路を形成するものであり、交換機側制御機Ｉ／Ｆ３５は、制御機ＣＰＵ３２及び交換機ラインＬ４間の信号伝送路を形成するものであり、サーバ側制御機Ｉ／Ｆ３６は、制御機ＣＰＵ３２及びサーバラインＬ６間の信号伝送路を形成するものである。
【００４６】
次に、各情報表示機７、７、・・・は、図２（ｃ）に示すように、それぞれ同様の構成とされ、それぞれ表示機表示部７１、表示機操作部７２、表示機ＣＰＵ７４及び表示機Ｉ／Ｆ７５を備えている。
【００４７】
この情報表示機７において、表示機表示部７１は、被看護人の治療情報や施設案内等の被看護人用閲覧情報や前述の医療・看護従事者関連情報等を表示するものであり、例えば、ＬＣＤ、有機ＥＬディスプレイ等の各種の表示媒体で構成されている。
【００４８】
表示機操作部７２は、ナースコール子機１を用いた被看護人からの呼出しを待受状態に復旧させる機能を有しており、呼出先の医療・看護従事者全ての氏名データ及び呼出先としてのナースコール親機を選択するものである。
【００４９】
表示機ＣＰＵ７４は、当該携帯情報端末の構成各部を制御するものである。
【００５０】
また、表示機Ｉ／Ｆ７５は、表示機ＣＰＵ７４及びサーバ６間の信号伝送路を形成するものである。
【００５１】
次に、図１から図３に基づいて、このように構成された本発明の実施例におけるナースコールシステムの動作について説明する。
［動作例１］
先ず、制御機３の制御機記憶部３１には、例えば図３（ａ）に示すような被看護人情報テーブルおよび図３(ｂ)に示すような医療・看護従事者関連情報が予め記憶されている。
【００５２】
このように構成されたナースコールシステムにおいて、待受け状態において、例えば２０１号室、２０２号室、・・・のような複数の部屋毎の各病床に居る被看護人のうち、特定の被看護人（例えば、２０１号室の病床に居る鈴木太郎（図３（ａ）参照）。以下、特に示した場合を除いて、特定の被看護人は「鈴木太郎」として説明する。）が、スタッフステーション等の施設内共用部に在室中の医療・看護従事者や携帯情報端末４、４、・・・を携帯して施設内を移動中の医療・看護従事者のうち担当の医療・看護従事者（例えば、図３（ｂ）に示す「山田花子」。以下、特に示した場合を除いて、特定の被看護人「鈴木太郎」を担当する医療・看護従事者は「山田花子」として説明する。）を呼出すために、ナースコール子機１を構成するハンド子機１ａを使用して呼出種別毎で異なる呼出操作、例えば、ナースコール呼出しのための操作を行うと、この操作を検出したプレート子機１ｂは、自子機が有する子機ＩＤ（例えば、図３（ａ）に示す「１」）及びナースコール呼出しを示す呼出種別情報を付加したナースコール呼出信号を生成する。
【００５３】
このナースコール呼出信号は、子機ラインＬ１を経由して自部屋の出入り口近傍に設置された廊下灯５に伝送される。
【００５４】
廊下灯５は、ナースコール子機１を構成するハンド子機１ａから伝送されてきたナースコール呼出信号に付加されている子機ＩＤ「１」及び呼出種別情報をもとに、ナースコール子機１が病床に設置されている被看護人からのナースコール呼出しがあることを検出し、その旨の報知（呼出表示、呼出発報）を行うとともに、受信したナースコール呼出信号に自廊下灯５が有する廊下灯ＩＤ（例えば、図３（ａ）に示す「２０１」）を付加し、このナースコール呼出信号を、廊下灯ラインＬ２、制御機３の廊下灯側制御機Ｉ／Ｆ３３を経由して制御機ＣＰＵ３２に送出する。
【００５５】
制御機３の制御機ＣＰＵ３２は、ナースコール子機１から廊下灯５を経由して伝送されてきたナースコール呼出信号を受信し、このナースコール呼出信号に付加されている子機ＩＤ「１」、廊下灯ＩＤ「２０１」および呼出種別情報を検出すると、制御機記憶部３１の記憶内容（例えば、図３（ａ）に示す被看護人情報テーブルおよび図３（ｂ）に示す医療・看護従事者関連情報）を参照し、情報表示機７、７、・・・のうち、ナースコール子機１の病床に設置されている情報表示機７が有する表示機ＩＤ（例えば図３（ａ）に示す「Ｄ０１」）を読出し、この情報表示機７に呼出先医療・看護従事者関連情報を通知する当該信号として、前述の子機ＩＤ「１」と読出した表示機ＩＤ「Ｄ０１」を付加した呼出先医療・看護従事者関連情報を生成する。
【００５６】
この呼出先医療・看護従事者関連情報は、サーバラインＬ６、サーバ６、表示機ラインＬ７、情報表示機７の表示機Ｉ／Ｆ７５を経由して表示機ＣＰＵ７４へ伝送される。
【００５７】
また、制御機３の制御機ＣＰＵ３２は、ナースコール子機１から廊下灯５を経由して伝送されてきたナースコール呼出信号を受信し、このナースコール呼出信号に付加されている子機ＩＤ「１」、廊下灯ＩＤ「２０１」および呼出種別情報を検出すると、ナースコール親機２にナースコール呼出しを通知する当該信号として、前述の子機ＩＤ、廊下灯ＩＤ及び呼出種別情報と読出した端末ＩＤ（「ＨＰ０１」）を付加した親機用ナースコール呼出報知信号を生成する。
【００５８】
この親機用ナースコール呼出報知信号は、制御機ＣＰＵ３２から、親機側制御機Ｉ／Ｆ３４、親機ラインＬ３、ナースコール親機２の親機Ｉ／Ｆ２５を経由して親機ＣＰＵ２４に伝送される。
【００５９】
さらに、制御機３の制御機ＣＰＵ３２は、制御機記憶部３１の記憶内容（例えば、図３（ａ）に示す被看護人情報テーブルおよび図３（ｂ）に示す医療・看護従事者関連情報を参照し、携帯情報端末４、４、・・・のうち、予め設定されている担当の医療・看護従事者（例えば図３（ｂ）に示す「山田花子」）が携帯している少なくとも１台の携帯情報端末４が有する端末ＩＤ（例えば図３（ｂ）に示す「ＨＰ０１」）を読出し、この携帯情報端末４にナースコール呼出しを通知する当該信号として、前述の子機ＩＤ「１」、廊下灯ＩＤ「２０１」及び呼出種別情報と読出した端末ＩＤ「ＨＰ０１」を付加した端末用ナースコール呼出報知信号を生成する。
【００６０】
この端末用ナースコール呼出報知信号は、制御機ＣＰＵ３２から交換機側制御機Ｉ／Ｆ３５、交換機ラインＬ４、交換機９、基地局ラインＬ５および基地局８を経由して携帯情報端末４、４、・・・へ伝送される。
【００６１】
一方、情報表示機７、７、・・・の表示機ＣＰＵ７４は、それぞれ、制御機３から伝送されてきた呼出先医療・看護従事者関連情報を受信すると、この呼出先医療・看護従事者関連情報に付加されている表示機ＩＤ「Ｄ０１」と自端末が有する表示機ＩＤ「Ｄ０１」とを照合し、当該ＩＤが一致した場合のみ、同様に付加されている呼出先医療・看護従事者関連情報を表示機表示部７１に表示させることができる。
【００６２】
これにより、ナースコール呼出しをした被看護人「鈴木太郎」は、ナースコール子機１が設置された病床において、少なくとも自分の担当する医療・看護従事者が誰（本動作例では「山田花子」）であるかを認識することができる。
【００６３】
また、ナースコール親機２の親機ＣＰＵ２４は、制御機３から伝送されてきた親機用ナースコール呼出報知信号を受信すると、この親機用ナースコール呼出報知信号に付加されている子機ＩＤ、廊下灯ＩＤ及び呼出種別情報をもとに、ナースコール子機１が病床に設置されている被看護人「鈴木太郎」からのナースコール呼出しがある旨の呼出音や音声メッセージ等を、ナースコール親機２の親機通話部２３を構成するスピーカから出力させるとともに、同様なナースコール呼出しがある旨の文字メッセージ等を親機表示部２１に表示させることができる。なお、親機表示部２１を用いた呼出表示としては、氏名、診療科目、救護区分等の被看護人に係る各種情報を併せて表示させることもできる。
【００６４】
さらに、携帯情報端末４、４、・・・の端末ＣＰＵ（不図示）は、それぞれ、制御機３から伝送されてきた端末用ナースコール呼出報知信号を受信すると、この端末用ナースコール呼出報知信号に付加されている端末ＩＤと自端末が有する端末ＩＤとを照合し、当該ＩＤが一致した場合のみ、同様に付加されている子機ＩＤ、廊下灯ＩＤ及び呼出種別情報をもとに、ナースコール子機１が病床に設置されている被看護人（鈴木太郎）からのナースコール呼出しがある旨の呼出音や音声メッセージ等を、端末通話部（不図示）を構成するスピーカから出力させるとともに、同様なナースコール呼出しがある旨の文字メッセージ等を端末表示部（不図示）に表示させることができる。
【００６５】
なお、携帯情報端末４の端末表示部（不図示）を用いた呼出表示としては、氏名、診療科目、救護区分等の被看護人に係る各種情報を併せて表示させることもできる。
【００６６】
次に、前述のようなナースコール呼出しに係る所定の報知（呼出表示、呼出発報）を確認した医療・看護従事者のうち、最先に応答操作を行った医療・看護従事者として、被看護人「鈴木太郎」の担当である施設内を移動中の医療・看護従事者「山田花子」が、携帯情報端末４の端末操作部（不図示）を用いて所定の応答操作を行うと、この操作を検出した端末ＣＰＵ（不図示）は、端末通話部（不図示）が有する通話機能を能動とするとともに、自端末が有する端末ＩＤ「ＨＰ０１」を付加した端末ナースコール応答信号を生成する。
【００６７】
この端末ナースコール応答信号は、前述の端末用ナースコール呼出報知信号と逆の信号伝送路を経由して制御機３の制御機ＣＰＵ３２に伝送される。
【００６８】
制御機３の制御機ＣＰＵ３２は、携帯情報端末４から伝送されてきた端末ナースコール応答信号を受信すると、前述のようなナースコール親機２からの親機ナースコール応答信号を受信した場合と同様に、呼出元であるナースコール子機１の通話機能を能動とするための子機用通話制御信号を生成し、ナースコール子機１を構成するプレート子機１ｂに送出する。
【００６９】
ナースコール子機１を構成するプレート子機１ｂは、制御機３から伝送されてきた通話制御信号を受信すると通話機能が能動となる。
【００７０】
この制御により、通常のナースコール呼出しの呼出元である被看護人「鈴木太郎」が使用するプレート子機１ｂの通話機能と、子機ラインＬ１、廊下灯５、廊下灯ラインＬ２、制御機３の廊下灯側制御機Ｉ／Ｆ３３、制御機ＣＰＵ３２、交換機側制御機Ｉ／Ｆ３５、交換機ラインＬ４、交換機９、基地局ラインＬ５、基地局８、携帯情報端末４を経由して端末通話部（不図示）との間の信号通話路が形成され、形成された信号伝送路を経由して音声を送受信させることによって、被看護人「鈴木太郎」とこの被看護人の担当である施設内を巡回中の医療・看護従事者「山田花子」との間で通話が成立する。
【００７１】
なお、前述のような信号伝送路を形成するにあたって、制御機３の廊下灯側制御機Ｉ／Ｆ３３及び交換機側制御機Ｉ／Ｆ３５間の信号伝送路は、制御機ＣＰＵ３２を経由することなく廊下灯側制御機Ｉ／Ｆ３３及び交換機側制御機Ｉ／Ｆ３５間を直接接続させた信号伝送路を形成することもできる。
【００７２】
また、携帯情報端末４からの端末ナースコール応答信号を受信した制御機３の制御機ＣＰＵ３２は、ナースコール親機２に対して呼出報知停止制御信号を送出することにより、この呼出報知停止制御信号を受信した親機ＣＰＵ２４は、親機表示部２１及び親機通話部２３を用いたナースコール呼出しに係る所定の報知（呼出表示、呼出発報）を停止させることができる。
【００７３】
一方、前述のようなナースコール呼出しに係る所定の報知（呼出表示、呼出発報）を確認した医療・看護従事者のうち、最先に応答操作を行った医療・看護従事者として、スタッフステーション等の施設内共用部に在室中の医療・看護従事者が、ナースコール親機２の親機操作部２２を用いて応答操作を行うと、この操作を検出した親機ＣＰＵ２４は、親機通話部２３が有する通話機能を能動とするとともに親機ナースコール応答信号を生成する。この親機ナースコール応答信号は、前述の親機用ナースコール呼出報知信号と逆の信号伝送路を経由して制御機３の制御機ＣＰＵ３２に伝送される。
【００７４】
制御機３の制御機ＣＰＵ３２は、ナースコール親機２から伝送されてきた親機ナースコール応答信号を受信すると、呼出元であるナースコール子機１の通話機能を能動とするための子機用通話制御信号を生成する。
【００７５】
この子機用通話制御信号は、前述のナースコール呼出信号と逆の信号伝送路を経由してナースコール子機１を構成するプレート子機１ｂに伝送される。
【００７６】
ナースコール子機１を構成するプレート子機１ｂは、制御機３から伝送されてきた子機用通話制御信号を受信すると通話機能が能動となる。
【００７７】
この制御により、ナースコール呼出しの呼出元である被看護人が使用するプレート子機１ｂの通話機能と、子機ラインＬ１、廊下灯５、廊下灯ラインＬ２、制御機３の廊下灯側制御機Ｉ／Ｆ３３、制御機ＣＰＵ３２、親機側制御機Ｉ／Ｆ３４、親機ラインＬ３、ナースコール親機２の親機Ｉ／Ｆ２５を介して親機通話部２３との間の信号通話路が形成され、形成された信号伝送路を経由して音声を送受信させることにより、被看護人とスタッフステーション等の施設内共用部に在室中の医療・看護従事者との間で通話が成立する。
【００７８】
なお、前述のような信号伝送路を形成するにあたって、制御機３の廊下灯側制御機Ｉ／Ｆ３３及び親機側制御機Ｉ／Ｆ３４間の信号伝送路は、制御機ＣＰＵ３２を経由することなく廊下灯側制御機Ｉ／Ｆ３３及び親機側制御機Ｉ／Ｆ３４間を直接接続させた信号伝送路を形成することもできる。
【００７９】
また、ナースコール親機２からの親機ナースコール応答信号を受信した制御機３の制御機ＣＰＵ３２は、前述のような呼出元である被看護人の担当の医療・看護従事者が携帯している携帯情報端末４に対して呼出報知停止制御信号を送出することにより、この呼出報知停止制御信号を受信した端末ＣＰＵ（不図示）は、端末表示部（不図示）及び端末通話部（不図示）を用いたナースコール呼出しに係る所定の報知（呼出表示、呼出発報）を停止させることができる。
【００８０】
以上の説明から明らかなように、本発明の第１の動作例によれば、制御機ＣＰＵ３２の制御により、ナースコール子機１を用いた被看護人「鈴木太郎」からの呼出時に当該ナースコール子機１から伝送されてくる子機ＩＤ「１」に割当てられた呼出先医療・看護従事者関連情報が制御機記憶部３１から読出され、当該呼出先医療・看護従事者関連情報がサーバ６を経由して情報表示機７の表示機表示部７１に表示されることから、当該ナースコール子機１を用いた被看護人「鈴木太郎」は、実際にどの医療・看護従事者（本動作例では「山田花子」）を呼び出しているのかを認識することができる。
【００８１】
従って、本発明の第１の動作例によれば、ナースコール呼出しを行なった際に、呼出先に関する情報（呼出先医療・看護従事者関連情報）を情報表示機に表示させることができることから、被看護人「鈴木太郎」は、呼出に応答するまでの不安感を解消することができ、ひいては被看護人に対する信頼性を向上させることができる。
【００８２】
次に、本発明のナースコールシステムの付加的な機能について説明する。なお、以下の動作例においては、（１）医療・看護施設内の複数の部屋の病床毎に設置されるナースコール子機１を用いて、被看護人が医療・看護従事者を呼出して通話を成立させる点、（２）部屋の出入り口に設置される廊下灯５で、ナースコール子機１を用いた被看護人からの呼出しを報知する点、（３）ナースコール親機２で、ナースコール子機１を用いた被看護人からの呼出しに医療・看護従事者が応答して通話を成立させる点、（４）医療・看護従事者により携帯され携帯情報端末４で、ナースコール子機１を用いた被看護人からの呼出しに応答して通話を成立させる点、（５）情報表示機７で、被看護人の治療情報や施設案内等の被看護人用閲覧情報を表示する点、（６）サーバ６で、情報表示機７を制御する点、および（７）制御機３で、廊下灯５、ナースコール親機２、携帯情報端末４及びサーバ６を制御する点は前述の動作例１と同様であることから詳細な説明を省略し、ここでは、制御機ＣＰＵ３２、情報表示機７若しくは医療・看護従事者関連情報に関連する動作を中心に説明する。
［動作例２］
この動作例においては、前述の医療・看護従事者関連情報に、例えば、図３（ｂ）に示すように、医療・看護従事者識別ＩＤに割当てられる医療・看護従事者の氏名データが含まれている。
【００８３】
また、制御機３の制御機ＣＰＵ３２に、第１の動作例と同様に、ナースコール子機１を用いた被看護人「鈴木太郎」からの呼出時に当該ナースコール子機１から伝送されてくる子機ＩＤ「１」に割当てられた呼出先医療・看護従事者関連情報を制御機記憶部３１から読出し、当該医療・看護従事者関連情報としての呼出先の医療・看護従事者全ての氏名データをサーバ６を経由して情報表示機７に送出して表示機表示部７１に表示させる機能が付加されている。
【００８４】
この動作例においては、医療・看護従事者関連情報に、医療・看護従事者識別ＩＤに割当てられる医療・看護従事者の氏名データが含まれていることから、情報表示機７の表示機表示部７１に呼出先に関する医療・看護従事者の氏名を表示させることができる。
【００８５】
従って、第２の動作例によれば、被看護人「鈴木太郎」は、実際に呼出している医療・看護従事者の氏名を認識することができることから、ナースコールシステムの利便性をより一層向上させることができる。
［動作例３］
この動作例においては、第２の動作例における情報表示機７に、呼出先の医療・看護従事者全ての氏名データ及び呼出先としてのナースコール親機２のうち少なくとも１つを選択する表示機操作部７２が付加されている。
【００８６】
また、第２の動作例における制御機３の制御機ＣＰＵ３２に、情報表示機７の表示機操作部７２により選択された医療・看護従事者が携帯する携帯情報端末４又は呼出先としてのナースコール親機２で呼出報知を行う機能が付加されている。
【００８７】
この動作例においては、第２の動作例と同様に、呼出先医療・看護従事者関連情報に、医療・看護従事者識別ＩＤに割当てられる医療・看護従事者の氏名データが含まれていることから、情報表示機７の表示機表示部７１に、例えば、図４（ａ）に示すように、「呼び出したい医療・看護従事者を選択して下さい」というメッセージとともに、制御機３から送信された医療・看護従事者の氏名の一覧を当該情報表示機７に表示することができる。
【００８８】
ここで、医療・看護従事者の氏名の横に「看護師」「看護助手」「ボランティア」などの役職名をあわせて表示した場合には、呼出先の選択肢が広がり選択が容易となる。また、「誰でもよい」などの氏名を特定しない選択肢を表示した場合や、制御機３の制御機記憶部３１に役職名と医療・看護従事者氏名を対応させるテーブル（図３（ｂ）参照）を記憶させた場合は、役職名を選択することで呼出先を選択することもできる。
【００８９】
このようにして、ナースコール呼出しを行なった被看護人「鈴木太郎」が、情報表示機７でナースコール呼出しを行ないたい医療・看護従事者として、例えば、看護師「水野美香」を選択すると、医療・看護従事者として「水野美香」を選択した旨の選択信号が自己の表示機ＩＤ「Ｄ０１」とともに表示機ラインＬ７、サーバ６、サーバーラインＬ６、サーバー側制御機Ｉ／Ｆ３６を経由して制御機３の制御機ＣＰＵ３２に送られる。
【００９０】
制御機３の制御機ＣＰＵ３２は、情報表示機７からサーバ６を経由して伝送されてきた選択信号を受信し、この選択信号に付加されている表示機ＩＤ「Ｄ０１」、子機ＩＤ「１」、廊下灯ＩＤ「２０１」および呼出種別情報を検出すると、ナースコール親機２にナースコール呼出しを通知する当該信号として、前述の動作例１と同様に前述の子機ＩＤ、廊下灯ＩＤ及び呼出種別情報と読出した端末ＩＤ（「ＨＰ０１」）を付加した親機用ナースコール呼出報知信号を生成する。
【００９１】
この親機用ナースコール呼出報知信号は、前述の動作例１における親機用ナースコール呼出報知信号と同様の経路を経由して伝送されることから、以後の動作は省略する。
【００９２】
さらに、制御機３の制御機ＣＰＵ３２は、制御機記憶部３１の記憶内容（例えば、図３（ａ）に示す被看護人情報テーブルおよび図３（ｂ）に示す医療・看護従事者関連情報を参照し、携帯情報端末４、４、・・・のうち、予め設定されている担当の医療・看護従事者（例えば図３（ｂ）に示す「水野美香」）が携帯している少なくとも１台の携帯情報端末４が有する端末ＩＤ（例えば図３（ｂ）に示す「ＨＰ０２」）を読出し、この携帯情報端末４にナースコール呼出しを通知する当該信号として、前述の子機ＩＤ「１」、廊下灯ＩＤ「２０１」及び呼出種別情報と読出した端末ＩＤ「ＨＰ０２」を付加した端末用ナースコール呼出報知信号を生成する。
【００９３】
この端末用ナースコール呼出報知信号は、前述の動作例１における端末用ナースコール呼出報知信号と同様の経路を経由して伝送されることから、以後の動作は省略する。
【００９４】
以上の説明から明らかなように、この動作例においては、表示機操作部７２で
呼出先の医療・看護従事者全ての氏名データ及び呼出先としてのナースコール親機２のうち少なくとも１つを選択することができることから、被看護人「鈴木太郎」は、ナースコール呼出しの目的に応じて呼出先を選択することができ、ひいては、ナースコ−ルシステムの利便性をより一層向上させることができる。
［動作例４］
この動作例においては、前述の第３の動作例における情報表示機７の表示機表示部７１に、呼出先の医療・看護従事者全ての氏名データ及び呼出先としてのナースコール親機２が表示されてから表示機操作部７２が操作されるまでの予め定められた時間（例えば、３０秒程度の時間）を計時する計時部７１ａが付加されている。
【００９５】
また、前述の第３の動作例における制御機３の制御機ＣＰＵ３２には、計時部７１ａのタイムアップを検出したとき、呼出先として予め定められた医療・看護従事者が携帯する携帯情報端末４で呼出報知を行う機能が付加されている。
【００９６】
この動作例においては、情報表示機７の表示機表示部７１に医療・看護従事者の氏名の一覧を表示した後、一定時間（例えば３０秒間）操作がなかった場合には、図４に示す「看護師」が自動選択されることになる。
【００９７】
すなわち、前述の第３の動作例においては、呼出時に制御機３から送信された医療・看護従事者の氏名の一覧が情報表示機７の表示機表示部７１に表示されるものの、被看護人「鈴木太郎」が情報表示機７の操作に不慣れであったり、そもそも表示機表示部７１への表示に気づいていなかった場合には、ナースコール呼出しができなくなり失報するおそれがあるところ、第４の動作例によれば、情報表示機７の表示機表示部７１に医療・看護従事者の氏名の一覧を表示した後、一定時間（例えば３０秒間）操作がなかった場合には、図４に示す「看護師」が自動選択されることになる。
【００９８】
従って、第４の動作例によれば、制御機ＣＰＵ３２の制御により、「看護師」が自動選択され、自動選択に係る信号が前述の第３の動作例における選択信号と同様に制御機３に自動的に送信されることで、情報表示機７の操作ミスで呼出先が選択できない場合でも自動的に看護師が呼び出されるため、失報の虞がなくなる。
［動作例５］
この動作例においては、前述の第１〜第４の動作例における制御機３の制御機ＣＰＵ３２に、前述のナースコール子機１を用いた被看護人「鈴木太郎」からの呼出時に、例えば図４（ｂ）に示すように、当該ナースコール子機１から伝送されてくる子機ＩＤ「１」に割当てられた医療・看護従事者の呼出優先順位を検出し、当該呼出優先順位をサーバ６を経由して情報表示機７、７、・・・に送出して表示機表示部７１に表示させる機能が付加されている。
【００９９】
この動作例においては、被看護人「鈴木太郎」を担当する医療・看護従事者「山田花子」の携帯端末が話中である場合等ナースコール呼出信号が送信できない場合には、予め定められた他の医療・看護従事者「例えば水野美香」に対してナースコール呼出しが行なわれる。
【０１００】
さらに、制御機３は、ナースコール呼出信号とともに呼出先である医療・看護従事者「山田花子」の氏名、また呼出先であるナースコール親機２で複数の呼出があり順番待ちが発生している場合には呼出の優先順位が何番目であるかをサーバ６に通知する。
【０１０１】
サーバ６は、ナースコール呼出信号をもとに複数の情報表示機７の中から呼出を行なった被看護人「鈴木太郎」に対応する情報表示機７を特定し、制御機３から送信された医療・看護従事者「山田花子」の氏名、呼出の優先順位を当該情報表示機７に表示する。
【０１０２】
以上述べたように、この動作例においては、ナースコール子機１を用いた被看護人「鈴木太郎」からの呼出時に、図４（ｂ）に示すように、医療・看護従事者の呼出優先順位が表示機表示部７１に表示されるため、被看護人「鈴木太郎」が「自分のナースコール呼出しが放置されているのか」という懸念を払拭することができる。
【０１０３】
従って、この動作例によれば、ナースコールシステムにおける安心度合をより一層向上させることができる。
［動作例６］
この動作例においては、前述の第１〜第５の動作例における情報表示機７の表示機操作部７２に、前述のナースコール子機１を用いた前述の被看護人「鈴木太郎」からの呼出しを待受状態に復旧させる機能が付加されている。
【０１０４】
この動作例においては、表示機操作部７２に設けられた復旧ボタン（不図示）を選択操作することで、ナースコール子機１を用いた被看護人「鈴木太郎」からの呼出しを待受状態に復旧させることができる。
【産業上の利用可能性】
【０１０５】
本発明のナースコールシステムにおいては、特定の実施の形態をもって説明してきたが、この形態に限定されるものでなく、本発明の効果を奏する限り、これまで知られた如何なる構成の当該システムであっても採用できるということはいうまでもないことである。
【０１０６】
例えば、前述の実施例においては、医療・看護従事者関連情報は制御機３の記憶部（制御機記憶部３１）に記憶されているが、当該医療・看護従事者関連情報は、ナースコール親機２またはサーバ６に設けた記憶部に記憶させてもよい。
【０１０７】
また、前述の実施例においては、サーバ６は情報表示機７を制御するために設けられているが、当該サーバ６は図示しないオーダリングシステムと統合させるか、制御機３と一体化させてもよい。
【符号の説明】
【０１０８】
１・・・ナースコール子機
２・・・ナースコール親機
３・・・制御機
３１・・・制御機記憶部
３２・・・制御機ＣＰＵ
４・・・携帯情報端末
５・・・廊下灯
６・・・サーバ
７・・・情報表示機
７１・・・表示機表示部
７１ａ・・・時計部
７２・・・表示機操作部
【図１】
2014143597.tif 000003
【図２】
2014143597.tif 000004
【図３】
2014143597.tif 000005
【図４】
2014143597.tif 000006